(57)【特許請求の範囲】
【請求項１】
第１のダイヤル操作部材または第２のダイヤル操作部材を操作することで、複数のフォーカスエリアの中から少なくとも１つのフォーカスエリアを選択するカメラにおいて、
前記第１のダイヤル操作部材の操作によりＸ軸方向のフォーカスエリア選択を行う第１のモードと、前記第１のダイヤル操作部材の操作によりＹ軸方向のフォーカスエリア選択を行う第２のモードとを切り換える第１の操作部材と、
当該操作部材の切り替えにかかわらず前記第２のダイヤル操作部材の操作によりＹ軸方向のフォーカスエリア選択の許可／禁止を指示する第２の操作部材とを有することを特徴とするカメラ。
【請求項２】
第１のダイヤル操作部材または第２のダイヤル操作部材を操作することで、複数のフォーカスエリアの中から少なくとも１つのフォーカスエリアを選択するカメラにおいて、
前記第１のダイヤル操作部材の操作により第１の方向のフォーカスエリア選択を行う第１のモードと、前記第１のダイヤル操作部材の操作により前記第１の方向とは直交する第２の方向のフォーカスエリア選択を行う第２のモードとを切り換える第１の操作部材と、
当該操作部材の切り替えにかかわらず前記第２のダイヤル操作部材の操作により前記第２の方向のフォーカスエリア選択の許可／禁止を指示する第２の操作部材とを有することを特徴とするカメラ。
【発明の詳細な説明】
【０００１】
【発明の属する技術分野】
本発明は、複数のフォーカスエリアの中から少なくとも１つのフォーカスエリアを選択するカメラに関するものである。
【０００２】
【従来の技術】
撮影画面内に複数のフォーカスエリアが設定され、いずれかのフォーカスエリアにおける焦点検出結果を用いてピント調節を行うオートフォーカスカメラが知られている。近年、フォーカスエリアが撮影画面内の上下左右に設定されているカメラも存在する。
【０００３】
このようなカメラにおいて、撮影者が係る複数のフォーカスエリアから特定のフォーカスエリアを選択する場合、例えば、特開平7-199320号公報、特開昭63-137216号公報に開示されているように、ジョイスティックやジョイパッドを用いて特定のフォーカスエリアを選択している。ところが、ジョイスティックやジョイパッドは、ダイヤルやボタンよりも大きい面積を要するために、カメラの小型化を妨げ、不用意な操作による誤作動の問題があった。
【０００４】
また、特開平1-288845号公報では、左右方向に配置された複数のフォーカスエリアから特定のフォーカスエリアを選択する際、ダイヤル操作部材の操作方向とフォーカスエリアの移動方向を一致させることが開示されている。
【０００５】
この手法を用いて、フォーカスエリアが撮影画面内の上下左右に設定されているカメラのフォーカスエリア選択を行う場合、２つのダイヤル操作部材を要し、カメラの小型化を妨げる。
【０００６】
なお、特開平1-288845号公報には、ダイヤル操作部材とは異なる操作部材を操作しながら、ダイヤル操作部材を操作するという同時操作を行うことにより、フォーカスエリアの移動方向が変わることも開示されている。
【０００７】
【発明が解決しようとする課題】
本発明は、撮影画面内の上下左右に設定されている複数のフォーカスエリアの中から少なくとも１つのフォーカスエリアを選択するカメラ及びカメラ用アクセサリーにおいて、ジョイスティックやジョイパッド、新たなダイアル等の操作部材を追加すること無く、既存のダイヤル１つで、撮影画面内の上下左右に設定されている複数のフォーカスエリアの中から少なくとも１つのフォーカスエリアを選択することを可能にする。
【０００８】
【課題を解決するための手段】
本発明の請求項１に記載した発明は、第１のダイヤル操作部材または第２のダイヤル操作部材を操作することで、複数のフォーカスエリアの中から少なくとも１つのフォーカスエリアを選択するカメラにおいて、前記第１のダイヤル操作部材の操作によりＸ軸方向のフォーカスエリア選択を行う第１のモードと、前記第１のダイヤル操作部材の操作によりＹ軸方向のフォーカスエリア選択を行う第２のモードとを切り換える第１の操作部材と、当該操作部材の切り替えにかかわらず前記第２のダイヤル操作部材の操作によりＹ軸方向のフォーカスエリア選択の許可／禁止を指示する第２の操作部材とを有することを特徴としている。
【０００９】
本発明の請求項２に記載した発明は、第１のダイヤル操作部材または第２のダイヤル操作部材を操作することで、複数のフォーカスエリアの中から少なくとも１つのフォーカスエリアを選択するカメラにおいて、前記第１のダイヤル操作部材の操作により第１の方向のフォーカスエリア選択を行う第１のモードと、前記第１のダイヤル操作部材の操作により前記第１の方向とは直交する第２の方向のフォーカスエリア選択を行う第２のモードとを切り換える第１の操作部材と、当該操作部材の切り替えにかかわらず前記第２のダイヤル操作部材の操作により前記第２の方向のフォーカスエリア選択の許可／禁止を指示する第２の操作部材とを有することを特徴としている。
【００１５】
【発明の実施の形態】
（第１の実施形態）
図１は本発明の第１の実施形態としての一眼レフカメラの要部概略図である。
【００１６】
図１において、１は撮影レンズであり、図１では便宜上２枚のレンズ１ａ、１ｂで示したが、実際は多数のレンズから構成されている。２は主ミラーで、観察状態と撮影状態に応じて撮影光路へ斜設されあるいは退去される。３はサブミラーで、主ミラー２を透過した光束をカメラボデイの下方に設けられた焦点検出装置６へ導く。４はシャッタ、５は感光部材で、銀塩フィルムあるいはＣＣＤやＭＯＳ型等の固体撮像素子あるいはビディコン等の撮像管よりなっている。
【００１７】
６は焦点検出装置であり、結像面近傍に配置されたフィールドレンズ６ａ、反射ミラー６ｂ及び６ｃ、２次結像レンズ６ｄ、絞り６ｅ、複数のＣＣＤからなるラインセンサ６ｆ等から構成されている周知の位相差方式を採用している。焦点検出装置６は、図３に示すようにファインダー観察画面内３００の複数のフォーカスエリア（１５個の測距点マーク３０１Ｔから３０５Ｂ）を焦点検出可能なように構成されている。
【００１８】
７は撮影レンズ１の予定結像面に配置されたピント板、８はファインダ光路変更用のペンタプリズムである。９、１０は観察画面内の被写体輝度を測定するための結像レンズと測光センサで、結像レンズはペンタプリズム８内の反射光路を介してピント板７と測光センサを共役に関係付けている。
【００１９】
次に、ペンタプリズム８の射出面後方には光分割器１１ａを備えた接眼レンズ１１が配される。光分割器１１ａは、例えば可視光を透過し赤外光及び赤外寄りの可視光（赤色光）を反射するダイクロイックミラーより成っている。１２は受光レンズ、１４はＣＣＤ等の光電素子列を２次元的に配したイメージセンサで受光レンズ１２に関して所定の位置にある撮影者眼１５の瞳孔近傍と共役になるように配置されている。
【００２０】
１３ａ〜１３ｄ、１３ｅ〜１３ｈは各々撮影者の眼１５の照明光源であるところの８個の赤外発光ダイオード（図では、２個のみ図示）で、接眼レンズ１１の周囲に配置されている。
【００２１】
１６は、受光レンズ１２の光軸前方にある光分割器。１７は結像レンズ。１８は透過型液晶。１９は明るい被写体の中でも透過型液晶ＳＬＣＤ１８の透過部が視認できる高輝度かつ赤外寄りの可視光（赤色光）のバックライトＬＥＤである。
【００２２】
光分割器１６は赤外発光ダイオード１３ａ〜１３ｄ、１３ｅ〜１３ｈの撮影者眼１５の瞳孔からの反射赤外光を透過し、イメージセンサ１４に導くと共に、バックライトＬＥＤ１９の赤外寄りの可視光（赤色光）を反射し、撮影者眼１５の瞳孔へ導くダイクロイックミラーより成っている。
【００２３】
透過型液晶ＳＬＣＤ１８は、撮影者の眼１５の瞳孔から見た場合、結像レンズ１７、接眼レンズ１１を介してピント板７と共役になるように配置されている。
【００２４】
バックライトＬＥＤ１９から発光された光は透過型液晶ＳＬＣＤ１８の透過部をとおり、光分割器１６、１１ａで曲げられ、接眼レンズ１１を通って撮影者の眼１５に達する。
【００２５】
図６（ａ）は、透過型液晶ＳＬＣＤ１８の構成を示したもので、矢印Ｘは、バックライトＬＥＤ１９からの赤色光で偏光板１８ａ１、１８ａ２とガラス板１８ｂ１、１８ｂ２でＴＮ型の液晶１８ｃは、挟まれ、封止されている。また、ガラス板１８ｂ２の液晶１８ｃ側には、不透過部とするための金属蒸着膜１８ｄを設けている。１８ｅは液晶１８ｃを駆動するための電極が設けられている電極面である。
【００２６】
図６（ｂ）は、透過型液晶ＳＬＣＤ１８を偏光板１８ａ２から見た図で、金属蒸着膜１８ｄは、１８ｆを含む１５個の矩形の外形線形状部のみだけ金属蒸着膜１８ｄが施されていない。更に１８ｆを含む１５個の矩形の外形線形状部に対応する位置に液晶１８ｃの駆動部が設けられており、駆動部を駆動させることにより、バックライトＬＥＤ１９からの赤色光を撮影者の眼１５側へ透過させ、駆動しない場合には、バックライトＬＥＤ１９からの赤色光を遮蔽する。
【００２７】
図６（ｂ）の１８ｆを含む１５個の矩形の外形線形状部は、焦点検出装置６の焦点検出領域に対応する位置に、即ち、図５に示すように観察画面内３００の複数のフォーカスエリア（１５個の測距点マーク３０１Ｔから３０５Ｂ）に対応した位置に存在する。
【００２８】
これによって図５に示したファインダ視野図から分かるように、バックライトＬＥＤ１９を点灯させ、透過型液晶ＳＬＣＤ１８の焦点検出領域に対応する１８ｆを含む１５個の矩形の外形線形状部いずれかを透過部とすることで、ファインダの観察画面内３００で測距点マーク（１５個の測距点マーク３０１Ｔから３０５Ｂ）として光り、フォーカスエリア（測距点）を表示させている（以下これをスーパーインポーズ表示という）。
【００２９】
図５においては、透過型液晶ＳＬＣＤ１８の１８ｆを透過部として、測距点マーク３０３ｃが光っている点灯表示状態を示している。尚、透過型液晶ＳＬＣＤ１８の１８ｆ以外の１４個の測距点マークは非透過部であり、点線で示す測距点マーク３０３ｃ以外は非点灯表示である。撮影者がファインダー画面を観察している際には、非点灯表示の測距点マークは、見えない。
【００３０】
ここで左右端の測距点マーク３０１ｃ、３０５ｃは、これは眼球の個人差補正データ（視線補正係数）を採取する（以下この動作をキャリブレーションと称す）際に点灯するものである。
【００３１】
３０６はファインダ視野領域を形成する視野マスク、３０７はファインダ視野外に撮影情報を表示するためのファインダ内ＬＣＤで、照明用ＬＥＤ（Ｆ−ＬＥＤ）２５によって照明され、ＬＣＤ２４を透過した光が三角プリズム２６によってファインダ内に導かれ、図５のファインダ視野外に表示され、撮影者は該撮影情報を観察している。２７は姿勢検知手段でありカメラの姿勢を検知するスイッチである。
【００３２】
３１は撮影レンズ１内に設けた絞り、３２は後述する絞り駆動回路１１１を含む絞り駆動装置、３３はレンズ駆動用モータ、３４は駆動ギヤ等からなるレンズ駆動部材、３５はフォトカプラでレンズ駆動部材３４に連動するパルス板３６の回転を検知してレンズ焦点調節回路１１０に伝えている。レンズ焦点調節回路１１０は、この情報とカメラ側からのレンズ駆動量の情報に基づいてレンズ駆動用モータを所定量駆動させ、撮影レンズ１を合焦位置に移動させるようになっている。３７は公知のカメラとレンズとのインターフェースとなるマウント接点である。
【００３３】
図２、図３において、カメラ４０は、図１の交換可能なレンズ部は不図示であるが、４１はレリーズボタン、４２は外部モニタ表示装置としてのモニタ用ＬＣＤで図１０の如く、予め決められたパターンを表示する固定セグメント表示部４２ａと、可変数値表示用の７セグメント表示部４２ｂとからなっている。
【００３４】
４３は、レリーズボタン４１の近傍にあり、ストロボ装着時には、ストロボのプリ発光による測光値を保持し、ストロボ非装着時には、マルチスポット測光といわれる公知のいくつかの点での測光値を平均演算するための測光値の取り込みを行うＦＥロック釦。
【００３５】
４４は測光値を保持するＡＥロック釦、４５ａ、４５ｂ、４５ｃはモード釦で撮影モード等の選択を行っている。
【００３６】
モード釦４５ｂ、４５ｃの同時押しでは前述する眼球の個人差補正データ（視線補正係数）を採取する視線のキャリブレーションを行うキャリブレーションモードとなる。
【００３７】
４６は電子ダイヤルで、回転してクリックパルスを発生させることによってモード釦４５ａ、４５ｂ、４５ｃで選択されたモードの中でさらに選択し得るモード、及び設定値を選択するためのものである。例えばモード釦４５ａを押して電子ダイヤル４６にてシャッタ優先の撮影モードを選択すると、ファインダ内ＬＣＤ２４及びモニタ用ＬＣＤ４２には、現在設定されているモードとシャッタスピードが表示される。更に撮影者がモード釦４５ａを離した後、電子ダイヤル４６を回転させるとその回転方向にしたがって現在設定されているシャッタスピードから順次シャッタスピードが変化していくように構成されている。この様にして撮影者がプログラムＡＥシャッタ優先ＡＥ、絞り優先ＡＥ、被写体深度優先ＡＥ、マニュアル露出の各撮影モードと撮影内容を設定できる。
【００３８】
図１０（ａ）、（ｂ）はモニタ用ＬＣＤ４２とファインダ内ＬＣＤ２４の全表示セグメントの内容を示した説明図である。図１０（ａ）において固定表示セグメント部４２ａには公知の撮影モード表示以外に、カメラのＡＦ動作や撮影モードの選択などの撮影動作を表示する部分を設けている。
【００３９】
可変数値表示用の７セグメント部４２ｂは、シャッタ秒時を表示する４桁の７セグメント８２、絞り値を表示する２桁の７セグメント８３と小数点８４、フィルム枚数を表示する限定数値表示セグメント８５と１桁の７セグメント８６で構成されている。
【００４０】
図１０（ｂ）において９１は手ブレ警告マーク、９２はＡＥロックマーク、９３、９４、９５を前記のシャッタ秒時表示と絞り値表示と同１の表示セグメント、９６は露出補正設定マーク、９７はストロボ充完マーク、９８は視線入力状態であることを示す視線入力マーク、９９は撮影レンズ１の合焦状態を示す合焦マークである。
【００４１】
４７は、測距点選択釦で、撮影者がこれを押すことで所定の測距点が点灯し、係る所定の測距点から任意の測距点に移動操作可能とする測距点選択モードに入る。
【００４２】
測距点選択釦４７を押した後、電子ダイヤル４６を回すと図７（ａ）のファインダー内の所定の測距点３０３ｃは、回転方向に同期した形で図中のＸ軸方向である水平方向に３０４ｃ、３０５ｃ及び３０２ｃ、３０１ｃに移動することが可能である。そして、移動後の測距点が点灯表示され、撮影者が選択した測距点を認識可能としている。
【００４３】
測距点選択釦４７を押した後、即ち測距点選択モードに入った後、従来、前述の他の機能を入力するＦＥロック釦４３を押した後、電子ダイヤル４６を回すと図７（ｂ）のファインダー内の所定の点灯表示されている測距点３０３ｃは、回転方向に同期した形で図中のＹ軸方向である垂直方向に３０３Ｔ、及び３０３Ｂに移動することが可能である。そして、移動後の測距点が点灯し、撮影者が選択した測距点を認識可能としている。
【００４４】
カメラ４０は、前述の撮影者が任意の測距点を選択することの可能な係る測距点選択モード以外に、図５の１５個の測距点を選択するにあたり、撮影者の眼球の光軸の回転角を検出し、眼球回転角から撮影者の視線を算出する視線検出装置を利用して測距点を選択する視線入力モードと、図５の１５個の測距点に対応する１５個の測距領域全ての測距結果からカメラ自身が所定のアルゴリズムで測距点を抽出、選択する測距点自動選択モードとを備えている。
【００４５】
５０は、カメラの電源スイッチでこれをＯＮ状態にすることでカメラが起動する。またＯＦＦでカメラを不作動とするロックポジションとなる。点線５１は、撮影者がカメラをホールドした状態の右手で、５１ａは、人差し指で、５１ｂは、親指である。
【００４６】
ＦＥロック釦４３、電子ダイヤル４６は、いずれもレリーズボタン４１の近傍に有る。そのため、撮影者がカメラ３０１をホールドし、ファインダーを覗き、撮影準備動作に入った際、その姿勢のままで、レリーズボタン４１を押圧する人差し指５１ａで、ＦＥロック釦４３、電子ダイヤル４６を操作可能としている。
【００４７】
測距点選択釦４７もまた、撮影者がカメラ３０１をホールドし、ファインダーを覗き、撮影準備動作に入った際、その姿勢のままで、親指５１ｂで押圧操作可能としている。
【００４８】
図４で、５１は、カメラのグリップ兼内蔵電池室で、５２のコインネジ部を回すことで外すことが可能である。５３は、三脚取り付けネジ部。５４は、カプラー蓋で回し外すことが可能。
【００４９】
図８（ａ）、（ｂ）はこの電子ダイヤル４５の内部構造を示した詳細図である。電子ダイヤル４６と共に回転するクリック板６１が配置され、これにはプリント基板６２が固定されている。プリント基板６２にはスイッチパターン６２ａ（ＳＷＤＩＡＬ−１）、６２ｂ（ＳＷＤＩＡＬ−２）とＧＮＤパターン６２ｃが図示されているように配置され、３個の摺動接片６３ａ、６３ｂ、６３ｃを持つスイッチ接片６３が固定部材６６に固定されている。
【００５０】
クリック板６１の外周部に形成されている凹部６１ａにはまりこむクリックボール６５が配置され、このボールを付勢しているコイルバネ６４が固定部材６６に保持されている。また通常位置（クリックボール６５が凹部６１ａにはまりこんでいる状態）においては摺動接片６３ａ、６３ｂはスイッチパターン６２ａ、６２ｂのどちらにも接触していない。
【００５１】
このように形成されている電子ダイヤル４６において、撮影者がダイヤルを図８（ａ）において時計方向に回転させると、まず摺動接点６３ｂがスイッチパターン６２ｂに先に接触し、その後で摺動接点６３ａがスイッチパターン６２ａに接触するようにして、このタイミングで設定値をカウントアップさせる。反時計方向の回転の場合は摺動接点とスイッチパターンとの関係はこれとちょうど反対となり、同様のタイミングで今度は設定値をカウントダウンさせる。
【００５２】
図８（ｂ）はこの様子を示したタイミングチャートで、ダイヤルを回転させたときにスイッチパターン６２ａと６２ｂに発生するパルス信号とそのタイミングを示している。上段は時計方向に１クリック回転させた場合を、下段は反時計方向に回転させた場合を示したもので、このようにしてカウントアップダウンのタイミングと回転方向を検出している。
【００５３】
図９は本発明のカメラに内蔵された電気回路の要部ブロック図である。図９において図１ないし図４と同一のものは同一符号を付けている。
【００５４】
カメラ本体３０１に内蔵されたマイクロコンピュータの中央処理装置（以下ＣＰＵ）１００には視線検出回路１０１、測光回路１０２、自動焦点検出回路１０３、信号入力回路１０４、ＬＣＤ駆動回路１０５ａ、ＳＬＣＤ駆動回路１０５ｂ、バックライトＬＥＤ駆動回路１０６、ＩＲＥＤ駆動回路１０７、シャッタ制御回路１０８、モータ制御回路１０９が接続されている。また撮影レンズ内に配置された焦点調節回路１１０、絞り駆動回路１１１とは図１で示したマウント接点３７を介して信号の伝達がなされる。
【００５５】
ＣＰＵ１００はＲＡＭを内蔵しており、視線のキャリブレーションデータを内蔵ＲＡＭに記憶する機能を有している。カメラのモードを「視線キャリブレーション」にすると、視線の個人差の補正を行うための視線補正データ（以下キャリブレーションデータと称す）を取得するキャリブレーションモードが選択可能となり、各キャリブレーションデータ、及びキャリブレーション動作「ＯＦＦ」と視線検出の禁止モードの設定が電子ダイヤル４６にて可能となっている。
【００５６】
視線検出回路１０１は、イメージセンサ１１４（ＣＣＤ−ＥＹＥ）からの眼球像の出力をＡ／Ｄ変換しこの像情報をＣＰＵに送信する。ＣＰＵ１００は後述するように視線検出に必要な眼球像の各特徴点を所定のアルゴリズムにしたがって抽出し、さらに各特徴点の位置から撮影者の視線を算出する。ＣＰＵ１００と視線検出回路１０１、そしてイメージセンサ１４は視線検出装置の１要素を構成している。
【００５７】
測光回路１０２は測光センサ１０からの出力を増幅後、対数圧縮、Ａ／Ｄ変換し、各センサの輝度情報としてＣＰＵ１００に送られる。測光センサ１１５は図５に示したファインダ画面内の１５個の測距点３０１Ｔ〜３０５Ｂの各々に対応した領域を測光するＳＰＣ−ＡからＳＰＣ−Ｏの１５個のフォトダイオードから構成されている。
【００５８】
焦点検出装置６ｆのラインセンサ１１６は前述のように画面内の１５個の測距点３０１Ｔ〜３０５Ｂに対応した１５組のラインセンサＣＣＤ−１Ｔ〜ＣＣＤ−５Ｂから構成される公知のＣＣＤラインセンサである。自動焦点検出回路１０３はこれらラインセンサ１１６から得た電圧をＡ／Ｄ変換し、ＣＰＵ１００に送る。
【００５９】
ＳＷ−１はレリーズ釦４１の第１ストロークでＯＮし、測光、ＡＦ、視線検出動作を開始する測光スイッチ、ＳＷ−２はレリーズ釦の第２ストロークでＯＮするレリーズスイッチ、ＡＮＧ−ＳＷ１、ＡＮＧ−ＳＷ２は姿勢検出装置２７によって検知されるところの姿勢検知スイッチ、ＳＷ−ＡＥＬはＡＥロック釦４４を押すことによってＯＮするＡＥロックスイッチ、ＳＷ−ＡＦＳは測距点選択釦４７を押すことによってＯＮする測距点選択モードスイッチ、ＳＷ−ＤＩＡＬ１とＳＷ−ＤＩＡＬ２は既に説明した電子ダイヤル内に設けたダイヤルスイッチで信号入力回路１０４のアップダウンカウンタに入力され、電子ダイヤル４６の回転クイック量をカウントする。
【００６０】
これらスイッチの信号が信号入力回路１０４に入力されデータバスによってＣＰＵ１００に送信される。
【００６１】
１０５ａは液晶表示素子ＬＣＤを表示駆動させるための公知のＬＣＤ駆動回路で、ＣＰＵ１００からの信号に従い、絞り値、シャッタ秒時、設定した撮影モード等の表示をモニター用ＬＣＤ４２とファインダ内ＬＣＤ２４の両方に同時に表示させている。
【００６２】
１０５ｂは透過型液晶１８を表示駆動させるための公知のＬＣＤ駆動回路で、ＣＰＵ１００からの信号に従い、図５の１５個の測距点３０１Ｔ〜３０５Ｂに対応した測距マーク部を状況に応じて選択的に透過、非透過の制御を行う。
【００６３】
ＬＥＤ駆動回路１０６はバックライトＬＥＤ１９を点灯、点滅制御する。更に点灯時、測光回路１０２からの信号をＣＰＵ１００が演算した信号に従い、点灯輝度を変化させ、ファインダー内の明るさに応じて測距点が認識し易くしている。
【００６４】
シャッタ制御回路１０８は通電すると先幕を走行させるマグネットＭＧ−１と、後幕を走行させるマグネットＭＧ−２を制御し、感光部材に所定光量を露光させる。
【００６５】
モータ制御回路１０９はフィルムの巻き上げを行うモーター８６と主ミラー２及びシャッタ４のチャージ、巻き戻しを行うモーター８７を制御している。これらシャッタ制御回路１０８、モータ制御回路１０９によって一連のカメラのレリーズシーケンズが動作する。
【００６６】
グリップ兼電池室５１は、電池１１３（図９図示）を内蔵しており、コネクター５６（図９図示）のＰ−ＧＮＤ、ＶＢＡＴの端子とメカ的電気的に接合し、本体電源系１１２（図９図示）にカメラ電源を供給している。
【００６７】
コネクター５６のＰ−ＧＮＤ、ＶＢＡＴ以外の端子とコネクター５７、コネクター５８の端子は、グリップ兼電池室５０装着状態では、グリップ兼電池室５０に端子が存在せず、接続状態になく、実施形態３で後述するモータードライブ２００等の付属品の装着時に利用される端子である。
【００６８】
スイッチ５９は、グリップ兼内蔵電池室５０，または、実施形態３で後述するモータードライブ２００等の付属品の装着を認識するＳＷで装着状態でＤ−ＧＮＤと切り離されたことを検知する。
【００６９】
次に図１１で、本実施形態のカメラ３０１の作動フローチャートを説明する。
【００７０】
図３の電源ＳＷ５０を回転させてＯＮ位置にするとカメラを不作動状態からカメラの電源がＯＮされる（Ｓ１００）。
【００７１】
ＣＰＵ１００の状態を確認し、所定のカメラ状態になるように変数をリセットする。（Ｓ１０１）そして、カメラはレリーズ釦４１が押し込まれてスイッチＳＷ１がＯＮされるまで待機する（Ｓ１０２）。レリーズ釦４１が押し込まれスイッチＳＷ１がＯＮされたことを信号入力回路１０４が検知すると、ＣＰＵ１００は、各部を起動状態にし、その状態を検知，確認する（Ｓ１０３）。
【００７２】
ＣＰＵ１００は視線検出禁止かどうかを視線検出回路１０１に確認する（Ｓ１０４）。視線検出禁止であれば、視線検出は実行せずに、すなわち視線情報を用いずに測距点自動選択モード（Ｓ１０７）に入り、図５の１５個の測距点に対応する１５個の測距領域全ての測距結果からカメラ自身が所定のアルゴリズムで測距点を選択するサブルーチンを実行する（Ｓ１０８）。この時、ＬＣＤ駆動回路１０５ａはファインダ内ＬＣＤ２４の視線入力マーク９８を消灯するので、撮影者はファインダ画面外３０７でカメラが視線検出を行わないことを確認できる（図５，図１０（ｂ））。
【００７３】
視線検出禁止でなければ、視線検出回路１０１は視線検出を実行する（Ｓ１０５）。この時、バックライトＬＥＤ駆動回路１０６は照明用ＬＥＤ（Ｆ−ＬＥＤ）２５を点灯させると共に、ＬＣＤ駆動回路１０５ａはファインダ内ＬＣＤ２４の視線入力マーク９８を点灯させるので、撮影者はファインダ画面外３０７でカメラが視線検出を行っていることを確認できる（図６（ｂ））。
【００７４】
また、７セグメント９３には設定されたシャッタ秒時が表示されている。ここで視線検出回路１０１において検出された視線はピント板７上の注視点座標に変換される。ＣＰＵ１００は該注視点座標に近接した図５の１５個の測距点から測距点を選択し（Ｓ１０６）、バックライトＬＥＤ駆動回路１０６でバックライトＬＥＤ１９を点灯させると共に、ＳＬＣＤ駆動回路１０５ｂに信号を送信して透過型液晶であるＳＬＣＤ１８を用いて前記測距点マークを点灯表示させる（Ｓ１１２）。
【００７５】
注視点の信頼性が低く、撮影者が該撮影者の視線によって選択された測距点が表示されたのを見て、その測距点が正しくないと認識してレリーズ釦４１から手を離しスイッチＳＷ１をＯＦＦすると（Ｓ１１３）、カメラはスイッチＳＷ１がＯＮされるまで待機する（Ｓ１０２）。
【００７６】
ここで測距点自動選択モード（Ｓ１０７）に戻り、測距点自動選択モード（Ｓ１０７）でなければ、撮影者が図５の１５個の測距点から任意に選択可能な測距点任意選択モード（Ｓ１０９）にはいる。
【００７７】
測距点任意選択モード（Ｓ１０９）で測距点選択釦４７が操作されると、測距点選択状態（Ｓ１１０）にはいり、撮影者が図１２で詳述する測距点移動ルーチン（Ｓ１１１）で図５の１５個の測距点から任意に選択できる（Ｓ１１１）。
【００７８】
測距点選択釦４７が操作され無い場合、即ち測距点選択状態（Ｓ１１０）でない場合は、現状選択されている測距点が選択されたことになる。
【００７９】
ＣＰＵ１００は、バックライトＬＥＤ駆動回路１０６でバックライトＬＥＤ１９を点灯させると共に、ＳＬＣＤ駆動回路１０５ｂに信号を送信して透過型液晶であるＳＬＣＤ１８を用いて前記で選択された測距点マークを点灯表示させる（Ｓ１１２）。
【００８０】
撮影者が選択された測距点が点灯表示されたのを見て、その測距点が正しくないと認識してレリーズ釦４１から手を離しスイッチＳＷ１をＯＦＦすると（Ｓ１１３）、カメラはスイッチＳＷ１がＯＮされるまで待機する（Ｓ１０２）。
【００８１】
撮影者が選択された測距点が点灯表示されたのを見て、レリーズ釦４１を押しつづけ、スイッチＳＷ１をＯＮ続けたならば（Ｓ１１３）、選択された測距点及び１つ以上の関連する測距点において自動焦点検出回路１０３は焦点検出動作を行う（Ｓ１１４）。
【００８２】
ここで選択された測距点が測距不能であるかを判定し（Ｓ１１５）、不能であればＣＰＵ１００はＬＣＤ駆動回路１０５ａに信号を送ってファインダ内ＬＣＤ２４の合焦マーク９９を点滅させ、測距がＮＧ（不能）であることを撮影者に警告し（Ｓ１２３）、ＳＷ１が離されるまで続ける（Ｓ１２４）。
【００８３】
測距が可能であり、所定のアルゴリズムで選択された測距点の焦点調節状態が合焦でなければ（Ｓ１１６）、ＣＰＵ１００はレンズ焦点調節回路１１０に信号を送って所定量撮影レンズ１を駆動させる（Ｓ１１７）。レンズ駆動後自動焦点検出回路１０３は再度焦点検出を行い（Ｓ１１４）、撮影レンズ１が合焦しているか否かの判定を行う（Ｓ１１６）。
【００８４】
所定の測距点において撮影レンズ１が合焦していたならば、ＣＰＵ１００はＬＣＤ駆動回路１０５ａに信号を送ってファインダ内ＬＣＤ２４の合焦マーク９９を点灯させると共に、ＳＬＣＤ駆動回路１０５ｂにも信号を送ってＳＬＣＤ１９の合焦している測距点に合焦表示させる（Ｓ１１０）。
【００８５】
この時、合焦表示される測距点と選択された測距点とは一致する場合が多いので、合焦したことを撮影者に認識させるために、この合焦表示は、透過型液晶のＳＬＣＤ１９の測距マーク部の点滅や、バックライト用ＬＥＤ１９の輝度をかえて測距点表示（Ｓ１１２）と区別されている。
【００８６】
合焦した測距点がファインダ内に表示されたのを撮影者が見て、その測距点が正しくないと認識してレリーズ釦４１から手を離しスイッチＳＷ１をＯＦＦすると（Ｓ１１９）、引き続きカメラはスイッチＳＷ１がＯＮされるまで待機する（Ｓ１０２）。
【００８７】
また、撮影者が合焦表示された測距点を見て、引き続きスイッチＳＷ１をＯＮし続けたならば（Ｓ１１９）、ＣＰＵ１００は測光回路１０２に信号を送信して測光を行わせる（Ｓ１２０）。この時合焦した測距点を含む測光領域ＣＣＤ３０１ＴからＣＣＤ３０５Ｂから選択し、重み付けを行った露出値が演算される。
【００８８】
本実施形態の場合、図５の測距点３０３Ｃを含む測光領域ＣＣＤ３０３Ｃに重み付けされた公知の測光演算を行い、この演算結果として７セグメント９４と小数点９５を用いて絞り値（Ｆ５．６）を表示する。
【００８９】
さらに、レリーズ釦４１が押し込まれてスイッチＳＷ２がＯＮされているかどうかの判定を行い（Ｓ１２１）、スイッチＳＷ２がＯＦＦ状態であれば再びスイッチＳＷ１の状態の確認を行う（Ｓ１１９）。また、スイッチＳＷ２がＯＮされたならばＣＰＵ１００はシャッタ制御回路１０８、モータ制御回路１０９、絞り駆動回路１１１にそれぞれ信号を送信する。
【００９０】
まずＭＧ２に通電し、主ミラー２をアップさせ、絞り３１を絞り込んだ後、ＭＧ１に通電しシャッタ４の先幕を開放する。絞り３１の絞り値及びシャッタ４のシャッタスピードは、前記測光回路１０２にて検知された露出値とフィルム５の感度から決定される。所定のシャッタ秒時（例えば，１／２５０秒）経過後ＭＧ２に通電し、シャッタ４の後幕を閉じる。フィルム５への露光が終了すると、ＭＧ２に再度通電し、ミラーダウン、シャッタチャージを行うと共にＭＧ１にも通電し、フィルムのコマ送りを行い、一連のシャッタレリーズシーケンスの動作が終了する（Ｓ１２２）。その後カメラは再びスイッチＳＷ１がＯＮされるまで待機する（Ｓ１０２）。
【００９１】
次に再び、測距点選択状態（Ｓ１１０）に戻り、図１２において測距点移動ルーチン（Ｓ１１１）について詳述する。
【００９２】
測距点任意選択モード（Ｓ１０９）で測距点選択釦４７が操作されると、測距点選択状態（Ｓ１１０）にはいり、測距点移動ルーチンが開始される。
【００９３】
この時、まず図９のＣＰＵ１００は、ＳＷ−ＦＥＬの信号入力が信号入力回路１０４に有るか否かを見にいく（Ｓ２０１）。
【００９４】
ＦＥＬ釦４４が押されず、図９のＳＷ−ＦＥＬの信号入力が信号入力回路１０４に無いと、ＣＰＵ１００は、電子ダイアル４６のＳＷ−ＤＩＡＬ１、ＳＷ−ＤＩＡＬ２の信号入力が信号入力回路１０４に有るか否かを見にいく（Ｓ２０２）。
【００９５】
電子ダイアル４６のＳＷ−ＤＩＡＬ１、ＳＷ−ＤＩＡＬ２の信号入力が有れば、図７（ａ）の如く、測距点のＸ軸方向移動を行うＸ軸方向測距点移動ルーチンに入る（Ｓ２０３）。ここでは、図８（ｂ）如く、ＳＷ−ＤＩＡＬ１、ＳＷ−ＤＩＡＬ２の入力で、電子ダイアル４６の回転方向を判別し、信号量により測距点を移動させる。
【００９６】
具体的には、電子ダイアル４６を図８（ａ）でのクリック板６１を１クリック分、左側に回転操作すれば、ＳＷ−ＤＩＡＬ１、ＳＷ−ＤＩＡＬ２の信号は、アップダウンカウンターで、回転方向と１クリック分の信号入力を判別し、ＣＰＵ１００は、ＳＬＣＤ駆動回路１０５ｂに信号を送る。そこで透過型液晶ＳＬＣＤ１８の図７（ａ）での現在選択されて点灯している測距点３０３Ｃに対応する測距マークを不透過部とし、測距点３０２Ｃに対応する測距マークを透過部とすることで、点灯している測距点は、Ｘ軸方向左側の測距点３０２Ｃに移動する。
【００９７】
更に電子ダイアル４６を１クリック分、左側に回転操作すれば、点灯している測距点は、Ｘ方向左側の測距点３０１Ｃに移動する。更に電子ダイアル４６を左側に１クリック分以上回転操作しても測距点が存在しないので、点灯している測距点は、測距点３０１Ｃのままである。
【００９８】
電子ダイアル４６の右側に回転操作すれば、点灯している測距点は、Ｘ軸方向左側の測距点３０５Ｃ、３０５Ｃに移動する。
【００９９】
Ｘ軸方向移動ルーチン（Ｓ２０３）が終了すると再び、測距点選択モード（Ｓ２０６）で有るか否かを確認する。
【０１００】
ＳＷ−ＤＩＡＬ１、ＳＷ−ＤＩＡＬ２、ＳＷ−ＦＥＬ、ＳＷ−ＦＰＳのいずれかの最後の信号入力から所定時間内、本実施形態では６秒内、測距点選択モード（Ｓ２０６）である。
【０１０１】
ＣＰＵ１００が、ＳＷ−ＦＥＬの信号入力が信号入力回路１０４に有るか否かをみにいって（Ｓ２０１）、ＦＥＬ釦４４が押され、図９のＳＷ−ＦＥＬの信号入力が信号入力回路１０４にあって、電子ダイアル４６のＳＷ−ＤＩＡＬ１、ＳＷ−ＤＩＡＬ２の信号入力が有れば（Ｓ２０４）、７５（ｂ）の如く、測距点のＹ方向移動を行うＹ方向測距点移動ルーチンに入る（Ｓ２０５）。
【０１０２】
ここでも、Ｘ軸方向測距点移動ルーチン（Ｓ２０３）と同様にＳＷ−ＤＩＡＬ１、ＳＷ−ＤＩＡＬ２の入力で、電子ダイアル４６の回転方向を判別し、信号量により測距点を移動させるが、移動方向が異なり、図７（ｂ）のＹ軸方向である。
【０１０３】
具体的には、電子ダイアル４６を１クリック分行えば、左側に回転操作すれば、ＳＷ−ＤＩＡＬ１、ＳＷ−ＤＩＡＬ２の信号は、アップダウンカウンターで、回転方向と１クリック分の信号入力を判別し、ＣＰＵ１００は、ＳＬＣＤ駆動回路１０５ｂに信号を送る。そこで透過型液晶ＳＬＣＤ１８の図７（ａ）での現在選択されて点灯している測距点３０３Ｃに対応する測距マークを不透過部とし、測距点３０３Ｔに対応する測距マークを透過部とすることで、点灯している測距点は、Ｙ軸方向左側の測距点３０３Ｔに移動する。
【０１０４】
更に電子ダイアル４６を左側に１クリック分以上回転操作しても測距点が存在しないので、点灯している測距点は、測距点３０３Ｔのままである。電子ダイアル４６の右側に回転操作すれば、点灯している測距点は、Ｙ軸方向下側の測距点３０３Ｂに移動する。
【０１０５】
ここで、Ｙ軸方向の測距点移動からＸ軸方向の測距点移動を行いたければ、再び、測距点選択釦４４を押すことで測距点選択状態（Ｓ１１０）に戻り、ここで電子ダイアル４６操作を行えば良い。
【０１０６】
Ｙ軸方向移動ルーチン（Ｓ２０５）が終了すると再び、測距点選択モードで有るか否かを確認する（Ｓ２０６）。ここで、ＳＷ−ＤＩＡＬ１、ＳＷ−ＤＩＡＬ２、ＳＷ−ＦＥＬ、ＳＷ−ＦＰＳのいずれかの最後の信号入力から所定時間内、本実施形態では６秒内、測距点選択モードである。
【０１０７】
測距点選択モードで有れば、測距点選択状態（Ｓ１１０）に戻り、測距点選択モードで無ければ、図１１の測距点移動ルーチン（Ｓ１１１）を終了する。
【０１０８】
本実施形態では、測距点移動ルーチン（Ｓ１１１）でＸ軸方向測距点移動ルーチン（Ｓ２０３）とＹ軸方向測距点移動ルーチン（Ｓ２０５）を組み合わせて、１５個の測距点を２次元的に移動可能である。
【０１０９】
例えば、図５の測距点３０３Ｃが選択されている状態で、撮影者が、測距点選択釦４７が操作し、測距点選択状態（Ｓ１１０）にはいり、測距点移動ルーチン（Ｓ１１１）が開始される。そこで撮影者が、電子ダイアル４６を２クリック分以上、右側に回転操作すれば、図５の測距点３０３Ｃは測距点３０５Ｃに移動し、ここで６秒以内にＦＥＬ釦４３を押した後、電子ダイアル４６を１クリック分以上、左側に回転操作すれば、測距点３０５Ｔに移動する。
【０１１０】
ファインダー観察画面上にＸ軸、Ｙ軸方向に配置された１５個の測距点を撮影者が所定の測距点から任意の測距点に移動、選択する際、第１の操作である測距点選択釦４７の操作後、第２の操作である電子ダイアル４６を操作するという、図７（ａ）のＸ軸方向の測距点移動を行い、第三の操作で測距点選択釦４７の操作されていない状態では他の機能釦であるＦＥロック釦４３を押圧して、電子ダイアル操作４６を操作して、図７（ｂ）のＹ軸方向の測距点移動を行う為、新たな操作部材を追加すること無く、測距点の選択方向を変えることが可能である。
【０１１１】
測距点選択釦４７が押されていない限り、不用意な外部との電子ダイアル４６の接触で不用意に測距点が移動することが無い。
【０１１２】
また、撮影者は、第１の操作である測距点選択釦４７の操作で、測距点任意選択モードに入って測距点選択状態で有ることと、ここで、電子ダイアル操作４６を操作することで、図７（ａ）のＸ軸方向の測距点移動可能なことを認識出来、更にＦＥロック釦４３を押圧操作すること自身で、測距点移動可能な方向が、Ｙ軸方向に変えたことを認識できる。この為、測距点移動の方向に関して、誤操作のない操作方法である。
【０１１３】
ＦＥロック釦４３、電子ダイヤル４６は、いずれもレリーズボタン４１の近傍に有るため、撮影者がカメラ３０１を右手５１でホールドした状態で、レリーズボタン４１を押圧する人差し指５１ａで、ＦＥロック釦４３、電子ダイヤル４６を操作可能であり、また、測距点選択釦４７も親指５１ｂで押圧操作可能としているため、撮影者がカメラ３０１をホールドし、ファインダーを覗き、撮影準備動作に入った際、その姿勢のままで、撮影動作を阻害することなく、Ｘ軸、Ｙ軸方向の２つの方向の測距点移動操作を可能としている。
【０１１４】
以上、撮影者が、撮影準備動作に入った状態で、２次元的に配置された測距点の中から任意の測距点を選択するに当たり、極めて優れた操作性をもったカメラの提供が可能である。
【０１１５】
（第２の実施形態）
図１３は、本実施形態のカメラ３０１の背面である。第１の実施形態と異なるのは、背蓋３０２に、次の２つの操作部材が追加された点である。したがって、図１３において図１ないし図４と同一のものは同一符号を付けている。
【０１１６】
４８は、第１の実施形態の電子ダイヤル４６と略同一構造の背蓋ダイアルで、これをカメラ起動状態でレリーズ釦４１を操作し、ＳＷ１をＯＮ状態で、背蓋ダイアル４８を操作することでカメラの測光値からの露出値に対して、カメラの露出補正を行う。
【０１１７】
測距点選択釦４７が操作され、所定の測距点から任意の測距点に移動操作可能とする測距点選択モードに入って、背蓋ダイアル４７を操作すると、第１の実施形態の図５（ｂ）のＹ軸方向の測距点移動が可能となる。
【０１１８】
４９は、背蓋電子ダイアル４８の入力をカメラ本体３０１に伝える背蓋スイッチでＯＮ位置に有れば、カメラ本体３０１は、背蓋電子ダイアル４８の入力を受け付けＯＦＦ位置に有れば、カメラ本体３０１は、係る入力を受け付けない。
【０１１９】
測距点の移動に関しては、図７（ｂ）中の測距点のＹ軸方向の移動は、背蓋スイッチ４９がＯＮ位置に有れば、測距点選択釦４７を押した後、即ち測距点選択モードで、背蓋電子ダイアル４８を回転操作することで回転方向に同期した形で可能である。
【０１２０】
撮影者が、カメラ起動状態や、測距点選択モード状態で、不用意に背蓋電子ダイアル４８を操作したり、カメラを帯行した際に背蓋電子ダイアル４８が不用意に外部と接触することで操作され、カメラの露出補正値や任意の測距点が変わることを防止するため、背蓋スイッチ４９をＯＦＦに設定する場合がある。
【０１２１】
しかしながら、図１３の如く、ＯＦＦ位置にあれば、測距点選択釦４７を押した後、背蓋電子ダイアル４８を回転操作しても測距点のＹ軸方向の移動は、行えない。
【０１２２】
本実施形態のカメラは、背蓋スイッチ４９のＯＮ、ＯＦＦに関わらず、第１の実施形態と同様の操作によって、測距点のＹ軸方向の移動、選択を行うものである。
【０１２３】
図１４は、係る第２の実施形態のカメラに内蔵された電気回路の要部ブロック図である。図１４において第１の実施形態の図１ないし図４、図９と同一のものは同一符号を付けている。
【０１２４】
第１の実施形態の図９と異なるのは、前記背蓋電子ダイアル４８、背蓋スイッチ４９の追加により、ＢＰ−ＤＩＡＬ１、ＢＰ−ＤＩＡＬ２、ＢＰ−ＳＷが追加されている点である。
【０１２５】
カメラ本体３０１と背蓋３０２は、この信号ラインの接続部を有している点が、カメラ本体４０と異なる点である。
【０１２６】
ＢＰ−ＤＩＡＬ１とＢＰ−ＤＩＡＬ２は、背蓋電子ダイアル４８内に設けた電子ダイヤル４６と略同一構造のダイヤルスイッチで信号入力回路１０４のアップダウンカウンタに入力され、背蓋電子ダイアル４８の回転クイック量をカウントする。
【０１２７】
ＢＰ−ＳＷは、背蓋電子ダイアル４８の入力をカメラ本体３０１に伝える背蓋スイッチ４９でＯＮ位置に有れば、ＧＮＤに接続し、背蓋電子ダイアル４８を操作することで、ＢＰ−ＤＩＡＬ１とＢＰ−ＤＩＡＬ２は、図９（ｂ）の如く、信号入力回路１０４のアップダウンカウンタに入力される。背蓋スイッチ４９がＯＦＦ位置に有れば、背蓋電子ダイアル４８を操作しても信号入力回路１０４には、信号変化は入力されない。
【０１２８】
次に図１５で、本実施形態のカメラ３０１の作動フローチャートを説明する。基本的な作動フローチャートは、第１の実施形態の図１１のと同じであり、異なるのは、測距点移動サブルーチン（Ｓ１１１Ａ）である。したがって、図１５において図１１と同一のものは同一符号を付けている。
【０１２９】
係る測距点移動サブルーチン（Ｓ１１１Ａ）を図１６で説明する。図１１と異なる点は、背蓋ダイアル入力（Ｓ２０７Ａ）とＹ軸方向測距点移動（Ｓ２０８Ａ）が追加された点である。
【０１３０】
図１５に於いて、測距点任意選択モード（Ｓ１０９）で測距点選択釦４７が操作されると、測距点選択状態（Ｓ１１０）にはいり、測距点移動ルーチン（Ｓ１１１Ａ）が開始される。
【０１３１】
図１６において測距点移動ルーチン（Ｓ１１１Ａ）について詳述する。図１６において図１２と同じ機能のフローチャート部には、図１２の符号の後にＡを付けて有る。
【０１３２】
この時、まず図１４のＣＰＵ１００は、ＳＷ−ＦＥＬの信号入力が信号入力回路１０４に有るか否かをみにいく（Ｓ２０１Ａ）。
【０１３３】
ＦＥＬ釦４４が押されず、図１４のＳＷ−ＦＥＬの信号入力が信号入力回路１０４に無いと、ＣＰＵ１００は、電子ダイアル４６のＳＷ−ＤＩＡＬ１、ＳＷ−ＤＩＡＬ２の信号入力が信号入力回路１０４に有るか否かをみにいく（Ｓ２０２Ａ）。
【０１３４】
電子ダイアル４６のＳＷ−ＤＩＡＬ１、ＳＷ−ＤＩＡＬ２の信号入力が有れば、図７（ａ）の如く、測距点のＸ軸方向移動を行うＸ軸方向測距点移動ルーチンに入る（Ｓ２０３Ａ）。
【０１３５】
ここでは、図８（ｂ）如く、ＳＷ−ＤＩＡＬ１、ＳＷ−ＤＩＡＬ２の入力で、電子ダイアル４６の回転方向を判別し、信号量により測距点を移動させる。具体的には、第１の実施形態と同じである。
【０１３６】
Ｘ軸方向移動ルーチン（Ｓ２０３Ａ）が終了すると再び、測距点選択モードで有るか否かを確認する。
【０１３７】
ＳＷ−ＤＩＡＬ１、ＳＷ−ＤＩＡＬ２、ＳＷ−ＦＥＬ、ＳＷ−ＦＰＳのいずれかの最後の信号入力から所定時間内、本実施形態では６秒内、測距点選択モードである。
【０１３８】
ＣＰＵ１００が、ＳＷ−ＦＥＬの信号入力が信号入力回路１０４に有るか否かをみにいって（Ｓ２０１Ａ）、ＦＥＬ釦４４が押され、図１４のＳＷ−ＦＥＬの信号入力が信号入力回路１０４にあって、電子ダイアル４６のＳＷ−ＤＩＡＬ１、ＳＷ−ＤＩＡＬ２の信号入力が有れば（Ｓ２０４Ａ）、図７（ｂ）の如く、測距点のＹ軸方向移動を行うＹ軸方向測距点移動ルーチンに入る（Ｓ２０５Ａ）。
【０１３９】
ここでも、Ｘ軸方向測距点移動ルーチン（Ｓ２０３Ａ）と同様にＳＷ−ＤＩＡＬ１、ＳＷ−ＤＩＡＬ２の入力で、電子ダイアル４６の回転方向を判別し、信号量により測距点を移動させるが、移動方向が異なり、図７（ｂ）のＹ軸方向である。具体的には、実施形態１と同じである。
【０１４０】
Ｙ軸方向移動ルーチン（Ｓ２０５Ａ）が終了すると再び、測距点選択モードで有るか否かを確認する（Ｓ２０６Ａ）。ここで、ＳＷ−ＤＩＡＬ１、ＳＷ−ＤＩＡＬ２、ＳＷ−ＦＥＬ、ＳＷ−ＦＰＳのいずれかの最後の信号入力から所定時間内、本実施形態では６秒内、測距点選択モードである。
【０１４１】
次に測距点選択モード（Ｓ２０６Ａ）で且つ背蓋スイッチ４９がＯＮ位置で、背蓋ダイアル４８のＢＰ−ＤＩＡＬ１、ＢＰ−ＤＩＡＬ２の信号入力が有れば（Ｓ３０７）、図７（ｂ）の如く、Ｙ軸方向測距点移動ルーチン（Ｓ２０５Ａ）と同様の測距点のＹ軸方向移動を行うＹ軸方向測距点移動ルーチンに入る（Ｓ３０８）。ここでも、Ｙ軸方向測距点移動ルーチン（Ｓ２０５Ａ）と同様にＢＰ−ＤＩＡＬ１、ＢＰ−ＤＩＡＬ２の入力で、背蓋ダイアル４８の回転方向を判別し、信号量により測距点をＹ軸方向に移動させる。
【０１４２】
具体的には、背蓋ダイアル４８を１クリック分反時計回転操作すれば、行えば、ＢＰ−ＤＩＡＬ１、ＢＰ−ＤＩＡＬ２の信号は、アップダウンカウンターで、回転方向と１クリック分の信号入力を判別し、ＣＰＵ１００は、ＳＬＣＤ駆動回路１０５ｂに信号を送る。そこで透過型液晶ＳＬＣＤ１８の図７（ａ）での現在選択されて点灯している測距点３０３Ｃに対応する測距マークを不透過部とし、測距点３０３Ｔに対応する測距マークを透過部とすることで、点灯している測距点は、Ｙ軸方向左側の測距点３０３Ｔに移動する。
【０１４３】
更に背蓋ダイアル４８を反時計回転に１クリック分以上回転操作しても測距点が存在しないので、点灯している測距点は、測距点３０３Ｔのままである。
【０１４４】
背蓋ダイアル４８を時計回転に回転操作すれば、点灯している測距点は、Ｙ軸方向下側の測距点３０３Ｂに移動する。
【０１４５】
Ｙ軸方向移動ルーチン（Ｓ３０８）が終了すると再び、測距点選択モードで有るか否かを確認する（Ｓ２０７Ａ）。ここで、ＢＰ−ＤＩＡＬ１、ＢＰ−ＤＩＡＬ２、ＳＷ−ＤＩＡＬ１、ＳＷ−ＤＩＡＬ２、ＳＷ−ＦＥＬ、ＳＷ−ＦＰＳのいずれかの最後の信号入力から所定時間内、本実施形態では６秒内は、測距点選択モードである。
【０１４６】
ここで背蓋ダイアル４８が操作されない、または、背蓋スイッチ４９がＯＦＦ位置で、背蓋ダイアル４８のＢＰ−ＤＩＡＬ１、ＢＰ−ＤＩＡＬ２の信号入力が無ければ（Ｓ３０７）、再び、測距点選択モードで有るか否かを確認する（Ｓ２０７Ａ）。
【０１４７】
測距点選択モードで有れば、測距点選択状態（Ｓ１１０Ａ）に戻り、測距点選択モードで無ければ、図１１の測距点移動ルーチン（Ｓ１１１Ａ）を終了する。
【０１４８】
本実施形態でも第１の実施形態と同様に、測距点移動ルーチン（Ｓ１１１Ａ）でＸ軸方向測距点移動ルーチン（Ｓ２０３Ａ）とＹ軸方向測距点移動ルーチン（Ｓ２０５Ａまたは、Ｓ３０８）を組み合わせて、１５個の測距点を２次元的に移動可能である。
【０１４９】
更に背蓋ダイアル４８を操作して、Ｙ軸方向測距点移動ルーチン（Ｓ３０８）に入ることを可能としている上に、撮影者が不用意に背蓋ダイアル４８に操作することで、露出補正が行われたり、測距点移動が行われることを避けるため、背蓋スイッチ４９がＯＦＦ位置にしても、ＦＥＬ釦４３を操作することでのＹ軸方向測距点移動ルーチン（Ｓ２０５Ａ）が存在するので、図７（ｂ）の測距点のＹ軸方向移動が可能である。
【０１５０】
例えば、背蓋スイッチ４９がＯＦＦ位置で、図５の測距点３０３Ｃが選択されている状態で、撮影者が、測距点選択釦４７が操作し、測距点選択状態（Ｓ１１０）にはいり、測距点移動ルーチン（Ｓ１１１Ａ）が開始される。そこで撮影者が、電子ダイアル４６を２クリック分以上、右側に回転操作すれば、図５の測距点３０３Ｃは測距点３０５Ｃに移動し、ここで６秒以内にＦＥＬ釦４３を押した後、電子ダイアル４６を１クリック分以上、左側に回転操作すれば、測距点３０５Ｔに移動する。
【０１５１】
また、ここで背蓋スイッチ４９がＯＮ位置であれば、測距点３０３Ｃは測距点３０５Ｃに移動した後、６秒以内に背蓋ダイアル４８を１クリック分以上、反時計方向に回転操作すれば、測距点３０５Ｔに移動する。
【０１５２】
Ｙ軸方向の測距点の移動の入力操作部材として、電子ダイアル４６と略同一構造の背蓋ダイアル４８を追加することでカメラの背蓋３０２の大型化と構造の複雑化はあるものの、係る背蓋ダイアル４８の不用意な操作でのカメラ状態の変化を避けるため、係る背蓋ダイアル４８の入力が遮断されてもカメラに新たな操作部材を設けることなく、Ｙ軸方向の測距点の移動の入力操作を可能とした。
【０１５３】
更に、係る背蓋ダイアル４８の入力の遮断に関わらず、Ｙ軸方向の測距点の移動の入力操作部材を２つ設定することで、撮影者がＹ軸方向の測距点の移動のの入力操作部材を自らの操作容易な入力部材に選択可能である。
【０１５４】
本実施形態では、背蓋ダイアル４８の入力の遮断時の入力操作部材、入力操作方法を第１の実施形態と同様にしてあるが、背蓋ダイアル４８の入力の遮断時のＹ軸方向の測距点の移動の入力操作方法が他の入力操作方法で有っても同様の効果が得られることは、明らかである。
【０１５５】
（第３の実施形態）
本実施形態のモータードライブ２００は、第１の実施形態のカメラ３０１にも、第２の実施形態のカメラ３０１にも装着可能である。本実施形態では、第２の実施形態のカメラ３０１に装着された状態で説明する。
【０１５６】
図１７は、カメラ本体３０１の外観の下面図のカメラのグリップ兼内蔵電池室５０とカプラー蓋５３を外した状態である。この状態でのみ、後述するモータードライブ２００との装着が可能となる。
【０１５７】
カメラ本体３０１側のモータードライブ２００とのメカ的係合部であるカプラー５４が露出する。カプラー５４は、回転駆動することにより、カメラ本体３０１の主ミラー２及びシャッター４をチャージ可能とする。したがって、カプラー５４の回転速度が増すことにより、係るチャージ速度も増し、チャージに要する時間も短くなる。
【０１５８】
５５は、モータードライブ２００が装着された時に主ミラー２及びシャッター４のチャージをカメラ本体３０１内の駆動系からカプラー５４にメカ的に切り替える操作部材である。コネクター５６は、カメラ電源系と通信系のコネクターで、グリップ兼内蔵電池室５０装着時には電源系のみの一部のコネクター接片と接触し、モータードライブ２００装着時には、すべてのコネクター接片と接触する。
【０１５９】
コネクター５７、コネクター５８は、モータードライブ２００装着時のみ，相手側のピンの摺動により接触する接点タイプの通信系コネクターである。カメラ本体３０１には、穴が設けられ、その下に接点部が設けられている。
【０１６０】
スイッチ５９は、グリップ兼内蔵電池室５０及びモータードライブ２００装着を判別する接点タイプのスイッチである。
【０１６１】
図１８，図１９，図２０および図２１は、モータードライブ２００の外観図である。係るモータードライブ２００は、第１の実施形態のカメラ３０１にも、第２の実施形態のカメラ３０１にも装着可能である。
【０１６２】
図１８は、背面図。図１９は、上面図。図２０は、図１８の右側面図。図２１は、図１８の左側面図。
【０１６３】
２０１は、モータードライブ２００をカメラ本体４０またはカメラ本体３０１に装着するためのカメラ３０１またはカメラ本体３０１の三脚ネジ５２に回転係合するネジ。２０２は、係る回転係合するネジ２０１の回転操作部材。２０３は、カメラ３０１またはカメラ本体３０１のカプラー５４に係合するモータードライブカプラー。
【０１６４】
２０４は、モータードライブ２００が装着された時に主ミラー２及びシャッター４のチャージをカメラ本体３０１内の駆動系からカプラー５４にメカ的に切り替える操作部材５５を操作する切り替えピンである。２０５ａ、２０５ｂは、カメラ本体３０１との位置決め部。
【０１６５】
コネクター２０６は、カメラ本体３０１のコネクター５６と電気的、メカ的に係合する。コネクター２０７は、カメラ本体３０１のコネクター５７と接触し、電気的に接続される。コネクター２０８は、カメラ本体３０１のコネクター５８と接触し、電気的に接続される。
【０１６６】
２０９は、カメラ本体３０１のコネクター５９と接触し、Ｄ−ＧＮＤに電気的に接続され、モータードライブ２００が装着状態にあることを識別する。２１０は、モータードライブ２００装着する電源パックの外観部分で、電源パックの種類を問わず、共通の部材で２１０ａを回転させることでモータードライブ２００本体との係合がはずれ、電源パックを取り出すことが可能となる。モータードライブ２００装着する電源パックの２１０の反対面に電源の電極が存在する。
【０１６７】
２１１は、モータードライブ２００のレリーズ操作部材でカメラ本体３０１のレリーズ操作部材４１と同じ機能を有する。２１２は、モータードライブ２００の電子ダイアルでカメラ本体３０１、または４０の電子ダイアル４６と同じ構造と機能を有する。２１３は、モータードライブ２００のＦＥロック釦でカメラ本体３０１、または４０のＦＥロック釦４３と同じ構造と機能を有する。
【０１６８】
２１４は、モータードライブ２００の測距点選択釦でカメラ本体３０１、または４０の測距点選択釦４７と同じ構造と機能を有する。２１５は、モータードライブ２００のＡＥロック釦でカメラ本体３０１、または４０のＡＥロック釦４４と同じ構造と機能を有する。この様に、実施形態のモータードライブ２００は、カメラ本体３０１または、４０の正位置での撮影に使用されるレリーズ操作部材４１周辺の操作部材の配置とモータードライブ２００装着時の縦位置での撮影でのレリーズ操作部材２１１周辺の操作部材の配置を同様としている。
【０１６９】
また、カメラ本体３０１または、４０の正位置での撮影に使用される距点選択釦４７とＡＥロック釦４４の配置と、モータードライブ２００装着時の縦位置での撮影での測距点選択釦２１４とＡＥロック釦２１５の配置も同様としている。
【０１７０】
したがって、モータードライブ２００装着時のカメラ本体３０１、または４０を、撮影者が、正位置で右手５１でホールドし、カメラ本体３０１、または４０の前記操作部材を操作する際と、または、縦位置でのモータードライブ２００の前記操作部材を操作する際、全く、同様の操作性を有している。
【０１７１】
次に、図２２は、本実施形態のカメラ本体３０１にモータードライブ２００を装着した状態の要部ブロック図である。破線内の４０１がコネクター部を除いたモータードライブ２００部である。
【０１７２】
２次電池電源パック２１７ａは、２次電池電源パック２１７ａの電源の正極、電源の負極に対応する位置にある電極接片（不図示）を介し、ＶＢＡＴ、Ｐ−ＧＮＤとしてコネクター２０６、５６の端子を介し、カメラ本体３０１の本体電源系に接続されていると共にモータードライブ２００の電源系回路のＤＣ／ＤＣ２の３１２に接続されている。更にモーター２１５のＭ３にも接続され、電源を供給している。
【０１７３】
また、モータードライブ２００の電源系回路のＤＣ／ＤＣ２の３１２は、２次電池電源パック２１７ａの電源から２種類の定電圧であるＶＭ１、ＶＭ２を作り出し、それらと２次電池電源パック２１７ａの電源であるＶＢＡＴのカメラ本体３０１の本体電源系への供給を行って要る。ＶＭ１、ＶＭ２は、コネクター５６の端子を介し、カメラ本体３０１に接続されている。ＤＣＤＣ２−ＯＮは、カメラ本体４０よりＤＣ／ＤＣ２の３１２を起動、停止させる制御する通信線でコネクター５６の端子を介し、カメラ本体３０１のＣＰＵ１００に接続されている。
【０１７４】
ＶＣＨＫは、ＤＣ／ＤＣ２の３１２の中でＶＢＡＴの電圧をモニターし、コネクター５６の端子を介し、カメラ本体３０１のＣＰＵ１００に接続されている。
【０１７５】
MD.CPU３１１は、モータードライバーの機能が主であり、Ｍ３Ｆ，Ｍ３Ｒの信号により、モーター２１５のＭ３の電源系に接続制御を主に行っている。
【０１７６】
ＳＷ１’はモータードライブ２００のレリーズ釦２１１の第１ストロークでＯＮし、コネクター２０６、５６の端子を介し、カメラ本体３０１の信号入力制御回路１０４を介し、測光、ＡＦ、視線検出動作を開始する測光スイッチ。
【０１７７】
ＳＷ２’は同じく、レリーズ釦の第２ストロークでＯＮするレリーズスイッチ、ＳＷ−ＦＥＬ’はＦＥロック釦２１３を押すことによってＯＮするＦＥロックスイッチである。
【０１７８】
ＳＷ−ＡＥＬ’はＡＥロック釦２１５を押すことによってＯＮするＡＥロックスイッチ、ＳＷ−ＡＦＳ’は測距点選択釦２１４を押すことによってＯＮする測距点選択モードスイッチ、ＳＷ−ＤＩＡＬ１’とＳＷ−ＤＩＡＬ２’は既に説明したモータードライブ２００の電子ダイヤル２１２内に設けたダイヤルスイッチでコネクター２０６、５６の端子を介し、信号入力回路１０４のアップダウンカウンタに入力され、電子ダイヤル２１２の回転クイック量をカウントする。
【０１７９】
ＳＷ−１’、ＳＷ−２’、ＳＷ−ＦＥＬ’、ＳＷ−ＡＥＬ’、ＳＷ−ＡＦＳ’、ＳＷ−ＤＩＡＬ１’、ＳＷ−ＤＩＡＬ２’は、信号入力回路１０４で入力を処理されるとＣＰＵ１００では、カメラ本体３０１または、４０のＳＷ−１、ＳＷ−２、ＳＷ−ＦＥＬ、ＳＷ−ＡＥＬ、ＳＷ−ＡＦＳ、ＳＷ−ＤＩＡＬ１、ＳＷ−ＤＩＡＬ２の信号入力回路１０４で入力処理されたものと同一で扱われる。
【０１８０】
スイッチ５９は、グリップ兼内蔵電池室５０及びモータードライブ２００装着を判別するＳＷで装着状態でＤ−ＧＮＤと切り離されたことを検知する。
【０１８１】
コネクター２０７、５７のＭ３Ｆは、MD.CPU３１１に接続され、カメラ本体４０のＣＰＵ１００の入出力可能なポートに接続されており、ＣＰＵ１００からのモーター２１５への制御信号が出される。また、カメラ本体４０のＣＰＵ１００のＭ３Ｆは、ＤＣＤＣ２−ＯＮでカメラ本体４０よりＤＣ／ＤＣ２の３１２を起動させた際、起動したことを示す信号入力が無い場合は、モータードライブ２００装着されず、グリップ兼内蔵電池室５０が装着されたと検知する。
【０１８２】
コネクター５７のＭ３Ｒは、電池種類の判別ＳＷ−Ｂ．Ｒを介し、プルアップされて、MD.CPU３１１に接続される。一方、カメラ本体３０１には、ＣＰＵ１００の入出力可能なポートに接続され、モータードライブ２００装着時に入力としては、モータードライブ２００の電池種類の判別をＳＷ−Ｂ．Ｒで行い、出力としては、モータードライブ２００のモーター２１５の制御を行う。
【０１８３】
ここで、モータードライブ２００装着時のＭ３Ｒの信号について述べる。
【０１８４】
モータードライブ２００に、図１５の如く、２次電池電源パック２１７ａが挿入されていると、図１２の実線の如く、電池種類の判別ＳＷ−Ｂ．Ｒは、非導通状態で、グリップ兼電池室５０装着状態同様に、ＣＰＵ１００のＭ３Ｒの入出力可能なポートは、プルダウン状態で、ＬＯＷを検知する。
【０１８５】
モータードライブ２００に１次電池電源パック（不図示）が挿入されていると、電池種類の判別ＳＷ−Ｂ．Ｒは、導通状態で、プルアップされているため、コネクター２０７、５７を介して、ＣＰＵ１００のＭ３Ｒの入出力可能なポートは、Ｈｉを検知する。
【０１８６】
作動シーケンスについては、ＳＷ１’、ＳＷ２’、ＳＷ−ＦＥＬ’、ＳＷ−ＡＥＬ’、ＳＷ−ＡＦＳ’、ＳＷ−ＤＩＡＬ１’、ＳＷ−ＤＩＡＬ２’は、カメラ本体３０１または、４０のＣＰＵ１００で、ＳＷ−１、ＳＷ−２、ＳＷ−ＦＥＬ、ＳＷ−ＡＥＬ、ＳＷ−ＡＦＳ、ＳＷ−ＤＩＡＬ１、ＳＷ−ＤＩＡＬ２のと同一で扱われることから、第２の実施形態の図１５と同様であり、測距点移動ルーチンは、図１６の第２の実施形態の測距点移動ルーチン（Ｓ１１１Ａ）と同様である。
【０１８７】
図２３はカメラ３０１にモータードライブ２００を装着し、撮影者が縦位置に構えた状態である。
【０１８８】
図２３において図１３及び図１７と同一のものは同一符号を付けている。撮影者の右手２１４は、モータードライブ２００をホールドしており、右手２１４の人指し指２１４ａは、図２３では、不図示であるがモータードライブ２００のレリーズ操作部材２１１、ＦＥロック釦２１３、電子ダイアル２１２周辺にある。右手２１４の親指２１４ｂは、測距点選択釦２１４、ＡＥロック釦２１５の周辺にある。
【０１８９】
図２４は、図２３の状態で撮影者が見たファインダー視野図である。第１の実施形態の図５が９０度時計回転された状態である。
【０１９０】
図２３、図２４で、図１５の測距点選択状態（Ｓ１１０）での図１６における測距点移動ルーチン（Ｓ１１１Ａ）について詳述する。
【０１９１】
図２３に於いて、測距点任意選択モード（Ｓ１０９）で撮影者の親指２１４ｂで測距点選択釦２１４が操作されると、測距点選択状態（Ｓ１１０）にはいり、測距点移動ルーチン（Ｓ１１１Ａ）が開始される。
【０１９２】
この時、まず図２２のＣＰＵ１００は、ＳＷ−ＦＥＬ’の信号入力が信号入力回路１０４に有るか否かを見にいく（Ｓ２０１Ａ）。
【０１９３】
撮影者の人指し指２１４ａでＦＥロック釦２１３が押されず、図２２のＳＷ−ＦＥＬ’の信号入力が信号入力回路１０４に無いと、ＣＰＵ１００は、電子ダイアル４６のＳＷ−ＤＩＡＬ１’、ＳＷ−ＤＩＡＬ２’の信号入力が信号入力回路１０４に有るか否かを見にいく（Ｓ２０２Ａ）。
【０１９４】
電子ダイアル２１２のＳＷ−ＤＩＡＬ１’、ＳＷ−ＤＩＡＬ２’の信号入力が有れば、図２４の如く、測距点のＸ軸方向移動を行うＸ軸方向測距点移動ルーチンに入る（Ｓ２０３Ａ）。
【０１９５】
ここでは、図８（ｂ）如く、ＳＷ−ＤＩＡＬ１’、ＳＷ−ＤＩＡＬ２’の入力で、電子ダイアル２１２の回転方向を判別し、信号量により測距点を移動させる。具体的には、第１の実施形態、第２の実施形態と同じである。
【０１９６】
Ｘ軸方向移動ルーチン（Ｓ２０３）が終了すると再び、測距点選択モードで有るか否かを確認する。
【０１９７】
ＢＰ−ＤＩＡＬ１、ＢＰ−ＤＩＡＬ２、ＳＷ−ＤＩＡＬ１、ＳＷ−ＤＩＡＬ２、ＳＷ−ＦＥＬ、ＳＷ−ＦＰＳ、ＳＷ−ＤＩＡＬ１’、ＳＷ−ＤＩＡＬ２’、ＳＷ−ＦＥＬ’、ＳＷ−ＦＰＳ’のいずれかの最後の信号入力から所定時間内、本実施形態では６秒内、測距点選択モードである。
【０１９８】
ＣＰＵ１００が、ＳＷ−ＦＥＬ’の信号入力が信号入力回路１０４に有るか否かをみにいって（Ｓ２０１Ａ）、ＦＥロック釦２１３が押され、図１２のＳＷ−ＦＥＬ’の信号入力が信号入力回路１０４にあって、電子ダイアル２１２のＳＷ−ＤＩＡＬ１’、ＳＷ−ＤＩＡＬ２’の信号入力が有れば（Ｓ２０４Ａ）、図２４での、測距点のＹ軸方向移動を行うＹ軸方向測距点移動ルーチンに入る（Ｓ２０５Ａ）。
【０１９９】
ここでも、Ｘ軸方向測距点移動ルーチン（Ｓ２０３Ａ）と同様にＳＷ−ＤＩＡＬ１’、ＳＷ−ＤＩＡＬ２’の入力で、電子ダイアル２１２の回転方向を判別し、信号量により測距点を移動させるが、移動方向が異なり、図１９のＹ軸方向である。具体的には、第１の実施形態、第２の実施形態と同じである。
【０２００】
Ｙ軸方向移動ルーチン（Ｓ２０５）が終了すると再び、測距点選択モードで有るか否かを確認する（Ｓ２０６Ａ）。ここで、ＳＷ−ＤＩＡＬ１’、ＳＷ−ＤＩＡＬ２’、ＳＷ−ＦＥＬ’、ＳＷ−ＦＰＳ’のいずれかの最後の信号入力から所定時間内、本実施形態では６秒内、測距点選択モードである。
【０２０１】
次に測距点選択モード（Ｓ２０６Ａ）で且つ背蓋スイッチ４９がＯＮ位置で、背蓋ダイアル４８のＢＰ−ＤＩＡＬ１、ＢＰ−ＤＩＡＬ２の信号入力が有れば（Ｓ３０７）、Ｙ軸方向測距点移動ルーチン（Ｓ２０５Ａ）と同様の測距点のＹ軸方向移動を行うＹ軸方向測距点移動ルーチンに入る（Ｓ３０８）。
【０２０２】
ここでも、Ｙ軸方向測距点移動ルーチン（Ｓ２０５Ａ）と同様にＢＰ−ＤＩＡＬ１、ＢＰ−ＤＩＡＬ２の入力で、背蓋ダイアル４８の回転方向を判別し、信号量により測距点をＹ軸方向に移動させる。
【０２０３】
具体的には、背蓋ダイアル４８を１クリック分反時計回転操作すれば、行えば、ＢＰ−ＤＩＡＬ１、ＢＰ−ＤＩＡＬ２の信号は、アップダウンカウンターで、回転方向と１クリック分の信号入力を判別し、ＣＰＵ１００は、ＳＬＣＤ駆動回路１０５ｂに信号を送る。そこで透過型液晶ＳＬＣＤ１８の図２４での現在選択されて点灯している測距点３０３Ｃに対応する測距マークを不透過部とし、測距点３０３Ｔに対応する測距マークを透過部とすることで、点灯している測距点は、Ｙ軸方向左側の測距点３０３Ｔに移動する。
【０２０４】
更に背蓋ダイアル４８を反時計回転に１クリック分以上回転操作しても測距点が存在しないので、点灯している測距点は、測距点３０３Ｔのままである。
【０２０５】
背蓋ダイアル４８を時計回転に回転操作すれば、点灯している測距点は、Ｙ軸方向下側の測距点３０３Ｂに移動する。
【０２０６】
Ｙ軸方向移動ルーチン（Ｓ３０８）が終了すると再び、測距点選択モードで有るか否かを確認する（Ｓ２０７Ａ）。ここで、ＢＰ−ＤＩＡＬ１、ＢＰ−ＤＩＡＬ２、ＳＷ−ＤＩＡＬ１、ＳＷ−ＤＩＡＬ２、ＳＷ−ＦＥＬ、ＳＷ−ＦＰＳ、ＳＷ−ＤＩＡＬ１’、ＳＷ−ＤＩＡＬ２’、ＳＷ−ＦＥＬ’、ＳＷ−ＦＰＳ’のいずれかの最後の信号入力から所定時間内、本実施形態では６秒内は、測距点選択モードである。
【０２０７】
ここで背蓋ダイアル４８が操作されない、または、背蓋スイッチ４９がＯＦＦ位置で、背蓋ダイアル４８のＢＰ−ＤＩＡＬ１、ＢＰ−ＤＩＡＬ２の信号入力が無ければ（Ｓ３０７）、再び、測距点選択モードで有るか否かを確認する（Ｓ２０７Ａ）。
【０２０８】
測距点選択モードで有れば、測距点選択状態（Ｓ１１０Ａ）に戻り、測距点選択モードで無ければ、図１１の測距点移動ルーチン（Ｓ１１１Ａ）を終了する。
【０２０９】
本実施形態でも第１の実施形態と同様に、測距点移動ルーチン（Ｓ１１１Ａ）でＸ軸方向測距点移動ルーチン（Ｓ２０３Ａ）とＹ軸方向測距点移動ルーチン（Ｓ２０５Ａまたは、Ｓ３０８）を組み合わせて、１５個の測距点を２次元的に移動可能である。
【０２１０】
更に背蓋ダイアル４８を操作して、Ｙ軸方向測距点移動ルーチン（Ｓ３０８）に入ることを可能としている上に、撮影者が不用意に背蓋ダイアル４８に操作することで、露出補正が行われたり、測距点移動が行われることを避けるため、背蓋スイッチ４９がＯＦＦ位置にしても、ＦＥＬ釦４３を操作することでのＹ軸方向測距点移動ルーチン（Ｓ２０５Ａ）が存在するので、図７（ｂ）の測距点のＹ軸方向移動が可能である。
【０２１１】
例えば、背蓋スイッチ４９がＯＦＦ位置で、図２４の測距点３０３Ｃが選択されている状態で、撮影者が、測距点選択釦４７が操作し、測距点選択状態（Ｓ１１０）にはいり、測距点移動ルーチン（Ｓ１１１Ａ）が開始される。そこで撮影者が、電子ダイアル４６を２クリック分以上、右側に回転操作すれば、図２４の測距点３０３Ｃは測距点３０５Ｃに移動し、ここで６秒以内にＦＥＬ釦４３を押した後、電子ダイアル４６を１クリック分以上、左側に回転操作すれば、測距点３０５Ｔに移動する。
【０２１２】
また、ここで背蓋スイッチ４９がＯＮ位置であれば、測距点３０３Ｃは測距点３０５Ｃに移動した後、６秒以内に背蓋ダイアル４８を１クリック分以上、反時計方向に回転操作すれば、測距点３０５Ｔに移動する。
【０２１３】
本実施形態のモータードライブ２００は、カメラ本体３０１または、４０の正位置での撮影に使用されるレリーズ操作部材４１周辺の操作部材で有るＦＥロック釦４３、電子ダイアル４６の配置と、モータードライブ２００装着時の縦位置での撮影でのレリーズ操作部材２１１周辺の操作部材で有るＦＥロック釦２１３、電子ダイアル２１２の配置を同様としている。また、カメラ本体３０１または、４０の正位置での撮影に使用される距点選択釦４７とＡＥロック釦４４の配置と、モータードライブ２００装着時の縦位置での撮影での測距点選択釦２１４とＡＥロック釦２１５の配置も同様としている。
【０２１４】
したがって、モータードライブ２００装着時のカメラ本体３０１、または４０を、撮影者が、正位置で右手５１でホールドし、カメラ本体３０１、または４０の前記操作部材を操作する際と、または、縦位置でのモータードライブ２００の前記操作部材を操作する際、全く、同様の操作性を有している。
【０２１５】
そのため、撮影者がモータードライブ２００装着したカメラ３０１を図２３の如く、縦位置でモータードライブ２００をホールドし、ファインダーを覗き、撮影準備動作に入った際、その姿勢のままで、撮影動作を阻害することなく、モータードライブ２００装着したカメラ３０１を正位置でカメラ３０１をホールドしたときと同様に、Ｘ軸、Ｙ軸方向の２つの方向の測距点移動操作を可能としている。
【０２１６】
以上、撮影者が、モータードライブ２００装着したカメラ３０１を、縦位置で、撮影準備動作に入った状態でも、２次元的に配置された測距点の中から任意の測距点を選択するに当たり、極めて優れた操作性をもったカメラアクセサリーの提供が可能である。
【０２１７】
【発明の効果】
本願発明に拠れば、ジョイスティックやジョイパッド、新たなダイアル等の操作部材を追加すること無く、既存のダイヤル操作部材１つで、撮影画面内の上下左右に設定されている複数のフォーカスエリアの中から少なくとも１つのフォーカスエリアを選択することが可能になる。
【図面の簡単な説明】
【図１】第１の実施形態であるカメラ本体の要部概略図。
【図２】第１の実施形態であるカメラ本体の外観図。
【図３】第１の実施形態であるカメラ本体の外観図。
【図４】第１の実施形態であるカメラ本体の外観図。
【図５】図１のファインダ視野内の表示状態の説明図である。
【図６】透過型液晶ＳＬＣＤ１８を説明する図。
【図７】図５に示した測距点移動を説明する図。
【図８】電子ダイアルの構造および出力信号を説明する図。
【図９】第１の実施形態であるカメラの電気回路の要部ブロック図。
【図１０】ＬＣＤ４２およびＬＣＤ１０２４の表示状態を説明する図。
【図１１】第１の実施形態であるカメラの作動シーケンスを説明するフローチャート。
【図１２】図１１の測距点移動ルーチンを説明するフローチャート。
【図１３】第２の実施形態であるカメラの電気回路の要部ブロック図。
【図１４】カメラ本体にモータードライブを装着した状態を説明する図。
【図１５】第２の実施形態であるカメラの作動シーケンスを説明するフローチャート。
【図１６】図１５の測距点移動ルーチンを説明するフローチャート。
【図１７】第３の実施形態であるカメラ本体の下面図。
【図１８】第３の実施形態であるモータードライブの外観図。
【図１９】第３の実施形態であるモータードライブの外観図。
【図２０】第３の実施形態であるモータードライブの外観図。
【図２１】第３の実施形態であるモータードライブの外観図。
【図２２】第３の実施形態であるモータードライブをカメラ本体に装着した時の電気回路の要部ブロック図。
【図２３】第３の実施形態であるモータードライブをカメラ本体に装着した状態の背面図。
【図２４】カメラ縦位置撮影状態のファインダー図。
【符号の説明】
１８  透過型液晶ＳＬＣＤ
１９  透過型液晶ＳＬＣＤのバックライト
４０  カメラ本体
４１  レリーズ操作部材
４３  ＦＥロック釦
４６  電子ダイアル
４７  測距点選択釦
４８  背蓋電子ダイアル
４９  背蓋スイッチ
２００  モータードライブ
２１１  モータードライブのレリーズ操作部材
２１２  モータードライブの電子ダイアル
２１３  モータードライブのＦＥロック釦
２１４  モータードライブの測距点選択釦
３００  ファインダー観察画面
３０１Ｔ〜３０５Ｂ  測距点マーク
３０１  カメラ本体
【図１】
0004136070.tif 000002
【図２】
0004136070.tif 000003
【図３】
0004136070.tif 000004
【図４】
0004136070.tif 000005
【図５】
0004136070.tif 000006
【図６】
0004136070.tif 000007
【図７】
0004136070.tif 000008
【図８】
0004136070.tif 000009
【図９】
0004136070.tif 000010
【図１０】
0004136070.tif 000011
【図１１】
0004136070.tif 000012
【図１２】
0004136070.tif 000013
【図１３】
0004136070.tif 000014
【図１４】
0004136070.tif 000015
【図１５】
0004136070.tif 000016
【図１６】
0004136070.tif 000017
【図１７】
0004136070.tif 000018
【図１８】
0004136070.tif 000019
【図１９】
0004136070.tif 000020
【図２０】
0004136070.tif 000021
【図２１】
0004136070.tif 000022
【図２２】
0004136070.tif 000023
【図２３】
0004136070.tif 000024
【図２４】
0004136070.tif 000025